(57)【要約】【課題】コンテンツに関する著作権の侵害を容易に防止できる。【解決手段】２層から構成される記録媒体の下層部１０４に、コンテンツの利用を許諾するための種々のコンテンツ用キーが、ユーザに解らなくするために疑似ランダムパターン形式で記録９０４される。ユーザ側で記録、消去が可能な上層部１０２には、予め利用契約の判別ソフトが含まれたコンテンツが記録される。記録媒体８２０に記録されたコンテンツを利用する際には、上層部１０２と下層部１０４の磁気情報が重畳した再生信号を弁別９０８して、上層部１０２と下層部１０４の各々の再生信号を得る。基準の疑似ランダム信号を生成し、下層部１０４では疑似ランダムパターン形式のコンテンツ用キーが再生９１４される。次いで、両者の信号の相関処理を行い（９１６）、相関係数が限りなく１に近い場合には、正規ユーザと判断する（９１８）。【選択図】　　　　図９
2004030842.tif 000002
【特許請求の範囲】
【請求項１】
記録媒体を有するコンピュータであって、前記記録媒体は、少なくとも１つのコンテンツが記録され、前記コンピュータにより記録および消去が可能な第１層と、前記コンテンツの各々に対応付けられた鍵が擬似ランダムパターンの形態で記録され、前記コンピュータにより記録および消去が不可能な第２層とから構成されており、
前記第１層および第２層に記録された磁気情報が重畳した再生信号を弁別する弁別手段と、
該弁別手段により弁別された第２層の再生信号に前記コンテンツの鍵が擬似ランダムパターンの形態で含まれている場合には前記コンテンツの正規の利用と判断し、前記第２層の再生信号に前記コンテンツの鍵が擬似ランダムパターンの形態で含まれていない場合には前記コンテンツの不正利用と判断する判別手段と
を備えたことを特徴とするコンピュータ。
【請求項２】
記録媒体を有するコンピュータにおけるコンテンツの不正利用防止方法であって、前記記録媒体は、少なくとも１つのコンテンツが記録され、前記コンピュータにより記録および消去が可能な第１層と、前記コンテンツの各々に対応付けられた鍵が擬似ランダムパターンの形態で記録され、前記コンピュータにより記録および消去が不可能な第２層とから構成されており、前記方法は、
前記第１層および第２層に記録された磁気情報が重畳した再生信号を弁別し、
該弁別された前記第２層の再生信号に前記コンテンツの鍵が擬似ランダムパターンの形態で含まれている場合には前記コンテンツの正規の利用と判断し、前記第２層の再生信号に前記コンテンツの鍵が擬似ランダムパターンの形態で含まれていない場合には前記コンテンツの不正利用と判断することを備えることを特徴とするコンテンツの不正利用防止方法。
【請求項３】
記録媒体を有するコンピュータにコンテンツの不正利用防止方法を実行させるためのコンピュータプログラムであって、前記記録媒体は、少なくとも１つのコンテンツが記録され、前記コンピュータにより記録および消去が可能な第１層と、前記コンテンツの各々に対応付けられた鍵が擬似ランダムパターンの形態で記録され、前記コンピュータにより記録および消去が不可能な第２層とから構成されており、
前記第１層および第２層に記録された磁気情報が重畳した再生信号を弁別するステップと、
該弁別された前記第２層の再生信号に前記コンテンツの鍵が擬似ランダムパターンの形態で含まれている場合には前記コンテンツの正規の利用と判断し、前記第２層の再生信号に前記コンテンツの鍵が擬似ランダムパターンの形態で含まれていない場合には前記コンテンツの不正利用と判断するステップと
を備えたことを特徴とするコンピュータプログラム。
【請求項４】
請求項３に記載のコンピュータプログラムにおいて、該コンピュータプログラムは前記記録媒体に記録されていることを特徴とするコンピュータプログラム。
【請求項５】
請求項４に記載のコンピュータプログラムにおいて、該コンピュータプログラムは前記コンテンツに組み込まれていることを特徴とするコンピュータプログラム。
【発明の詳細な説明】
【０００１】
【発明の属する技術分野】
本発明はコンピュータ、コンテンツの不正利用防止方法およびコンピュータプログラムに関し、より具体的には、コンテンツの不正なコピーを防止し、利用契約に対応して制限された範囲でコンテンツを利用することができるコンピュータ、コンテンツの不正利用防止方法およびコンピュータプログラムに関する。
【０００２】
【従来の技術】
現在のパソコン等の端末機器では、各種のコンテンツがプレインストールされていたり、あるいはインターネット等を経由してユーザが必要とするコンテンツを入手し、利用することができる。このように端末機器によるコンテンツの使用が普及し始めた当初から、コピー防止を目的として、パスワード、シリアル番号などを入力する方法がある。しかし、ユーザがコンテンツ利用に関する同意書に同意しているにも関わらず、コンテンツのパスワード、シリアル番号を第三者に漏洩し、不正利用の手助けをしているのが実状であり、コンテンツの販売に大きな影響を与えている。
【０００３】
このような不具合を防止するため、ハードウェアで構成された外付けキーをパソコンに装着し、コンテンツを実行する際に、外付けキーの有無を監視する手法が考案され、同時に複数台でコンテンツを利用することを防止できるようになっている。
【０００４】
また、不正なコンテンツの利用を排除する別の方法として、例えば特開２００２−８４２７１号公報には、特殊な方法でのみ読取可能な秘密情報を予め格納し、記録媒体へのコンテンツの記録または記録されたコンテンツの再生を行う際のコンテンツ暗号化または復号処理用暗号鍵に、上記秘密情報を作用させる方法が記載されている。
【０００５】
【発明が解決しようとする課題】
しかしながら、上述した不正利用の防止方法の場合、同時ではないにせよ複数台のパソコンでのコンテンツの利用を許諾することになるという問題がある。
【０００６】
また、コンテンツの利用契約を結んだ機器のみの利用を許諾し、コンテンツのコピーによる不正利用を防止するために、余分なハードウェアで構成されたキーを製作する手間がかかるという問題がある。
【０００７】
本発明はこのような問題に鑑みてなされたものであり、その目的とするところは、ユーザが利用する特定の端末機器に対し、コンテンツの利用契約に応じて、外付けのキーを設けることなくコンテンツの不正利用を防止できるコンピュータ、コンテンツの不正利用防止方法およびコンピュータプログラムを提供することにある。
【０００８】
【課題を解決するための手段】
このような目的を達成するために、請求項１に記載の発明は、記録媒体を有するコンピュータであって、前記記録媒体は、少なくとも１つのコンテンツが記録され、前記コンピュータにより記録および消去が可能な第１層と、前記コンテンツの各々に対応付けられた鍵が擬似ランダムパターンの形態で記録され、前記コンピュータにより記録および消去が不可能な第２層とから構成されており、前記第１層および第２層に記録された磁気情報が重畳した再生信号を弁別する弁別手段と、該弁別手段により弁別された第２層の再生信号に前記コンテンツの鍵が擬似ランダムパターンの形態で含まれている場合には前記コンテンツの正規の利用と判断し、前記第２層の再生信号に前記コンテンツの鍵が擬似ランダムパターンの形態で含まれていない場合には前記コンテンツの不正利用と判断する判別手段とを備えたことを特徴とする。
【０００９】
また、請求項２に記載の発明は、記録媒体を有するコンピュータにおけるコンテンツの不正利用防止方法であって、前記記録媒体は、少なくとも１つのコンテンツが記録され、前記コンピュータにより記録および消去が可能な第１層と、前記コンテンツの各々に対応付けられた鍵が擬似ランダムパターンの形態で記録され、前記コンピュータにより記録および消去が不可能な第２層とから構成されており、前記方法は、前記第１層および第２層に記録された磁気情報が重畳した再生信号を弁別し、該弁別された前記第２層の再生信号に前記コンテンツの鍵が擬似ランダムパターンの形態で含まれている場合には前記コンテンツの正規の利用と判断し、前記第２層の再生信号に前記コンテンツの鍵が擬似ランダムパターンの形態で含まれていない場合には前記コンテンツの不正利用と判断することを備えることを特徴とする。
【００１０】
また、請求項３に記載の発明は、記録媒体を有するコンピュータにコンテンツの不正利用防止方法を実行させるためのコンピュータプログラムであって、前記記録媒体は、少なくとも１つのコンテンツが記録され、前記コンピュータにより記録および消去が可能な第１層と、前記コンテンツの各々に対応付けられた鍵が擬似ランダムパターンの形態で記録され、前記コンピュータにより記録および消去が不可能な第２層とから構成されており、前記第１層および第２層に記録された磁気情報が重畳した再生信号を弁別するステップと、該弁別された前記第２層の再生信号に前記コンテンツの鍵が擬似ランダムパターンの形態で含まれている場合には前記コンテンツの正規の利用と判断し、前記第２層の再生信号に前記コンテンツの鍵が擬似ランダムパターンの形態で含まれていない場合には前記コンテンツの不正利用と判断するステップとを備えたことを特徴とする。
【００１１】
また、請求項４に記載の発明は、請求項３に記載のコンピュータプログラムにおいて、該コンピュータプログラムは前記記録媒体に記録されていることを特徴とする。
【００１２】
また、請求項５に記載の発明は、請求項４に記載のコンピュータプログラムにおいて、該コンピュータプログラムは前記コンテンツに組み込まれていることを特徴とする。
【００１３】
【発明の実施の形態】
以下、図面を参照し、本発明の詳細な実施の形態について詳細に説明する。
【００１４】
本実施形態では、ハードディスクの記録媒体として、図１に示すように記録層１００が２層から構成される２層記録媒体を採用する。この２層記録媒体の各層の磁気特性は図２の曲線２０４に示すような、低い保磁力Ｈｃ１を持つ上の記録層（以下、上層部と称する）１０２と、図２の曲線２０２に示すような、高い保磁力Ｈｃ２を持つ下の記録層（以下、下層部と称する）１０４の２つの記録層を含んでいる。２つの記録層の保磁力には、Ｈｃ１≪Ｈｃ２の関係が成り立っている。このため、下層部１０４は高保磁力を有しており、ハードディスクに組込みの上層部１０２を読み書きする磁気ヘッドでは書き込むことができず、書き込みはハードディスクの製造者のみが磁気転写技術を用いて行う。
【００１５】
２層磁気記録媒体の製造方法においては、基板の表面に第１層目としてＨｃ２の磁性膜をスパッタにより成膜し、第２層目にＨｃ１の磁性膜を成膜することにより磁性膜の積層構造としている。また２層媒体への磁気転写技術として、上の記録層の保磁力Ｈｃ１、下の記録層の保磁力Ｈｃ２とし、外部磁界Ｈｅｘ１、Ｈｅｘ２とした場合に、Ｈｃ１＜＜Ｈｃ２、Ｈｅｘ１＜＜Ｈｅｘ２、Ｈｃ１＜＜Ｈｅｘ１、Ｈｅｘ１＜＜Ｈｃ２とし、下の記録層への転写工程で外部磁界Ｈｅｘ２を印加し、上の記録層への転写工程で外部磁界Ｈｅｘ１を印加する方法を使用することができる。この転写技術の詳細については特願２００１−２７９９０７号を参照されたい。
【００１６】
以下では、２層媒体の下層部１０４への磁気転写方法に関してのみ記載する。図３は本実施形態において採用される磁気転写技術の概要を示す。図３（ａ）は初期化工程を示し、まずＨｃ１およびＨｃ２より大きい外部磁界Ｈｉｎｉを印加することにより記録層は上，下層とも初期磁化される。図３（ｂ）は下層部１０４への転写工程を示す。記録媒体にマスタディスク３０２を密着し、外部磁界Ｈｅｘを印加する。この時、外部磁界Ｈｅｘは初期磁界と反対方向の磁界で、大きさはＨｃ１≪Ｈｅｘ、Ｈｃ２〜Ｈｅｘを満たすものとする。
【００１７】
上層部１０２は外部磁界Ｈｅｘが保磁力Ｈｃ１より十分大きいので、マスタディスク３０２の軟磁性パターン３０４の存在如何に関わらずＨｅｘの磁界の方向（初期磁化と反対方向）に一様に磁化される。一方、下層部１０４では軟磁性パターン３０４の下の漏れ磁界が磁化を反転させる程大きくないため、軟磁性パターン３０４の下では初期磁化はそのまま保たれるが、軟磁性パターン３０４がない部分では外部磁界Ｈｅｘにより磁化は反転する。このようにして、下層部１０４にはマスタディスク３０２の軟磁性パターン３０４の転写が行われる。従って、下層部１０４にはハードディスクの出荷時に磁気転写技術を用いて、様々なコンテンツの利用区分に応じた種々のキーの記録を行うことができる。また、上層部１０２には通常の磁気ヘッドによって、コンテンツなどをユーザが自由に記録することができる。
【００１８】
なお、前記の鍵は非常に高い秘密度を要求されるため、疑似ランダム系列（ＰＮ系列とも言う）を用いる。疑似ランダム系列の代表的なものとしてＭ系列がある。これは、ある長さのシフトレジスタとフィードバックによって生成される符合系列のうち、その周期が最長になる系列である。ｎをシフトレジスタの段数とすると、ビット（Ｌ）がＭ系列の長さ、すなわち最長系列である。
【００１９】
【数１】
2004030842.tif 000003
【００２０】
図４はＭ系列をハードウェアで生成する手法を示しているが、実際にはソフトウェアで生成される。図４に示すように、シフトレジスタ符合発生器は、何段かのシフトレジスタと、その複数個の段の状態の論理結合をシフトレジスタの入力へフィードバックする論理回路とから構成される。ここで、ｆｊ　はシフトレジスタにかける係数（０または１）、ａｉはシフトレジスタの各段の内容である。発生される系列は次式で表される。
【００２１】
【数２】
2004030842.tif 000004
【００２２】
この式は、ｆｎ＝１として次式のように表すこともできる。
【００２３】
【数３】
2004030842.tif 000005
【００２４】
これらの式は系列を発生させる線形漸化式と呼ばれる。ここで、ａｉ＋ｊ＝Ｘｊａｉとなるような遅延演算子を導入すると、次式のようになる。
【００２５】
【数４】
2004030842.tif 000006
【００２６】
ここで式（５）なる多項式は特性多項式と呼ばれ、発生する系列の性質を決める重要な多項式であり、生成される系列がＭ系列である。また系列長が最長であるためには、特性多項式は原始多項式と呼ばれる多項式でなくてはならない。原始多項式はシフトレジスタのタップが特定の位置の場合にのみ作られる。
【００２７】
４次の原始多項式を例にとり、ｆ（ｘ）　＝ｘ４＋ｘ＋１とする。式（５）より、ｆ０＝１，ｆ１＝１，ｆ２＝ｆ３＝０，ｆ４＝１となるから、図５に示すような発生回路になる。初期条件として０００１から出発すると、発生する系列ａｉは、
０００１００１１０１０１１１１０００１００　……
←………１５　………→
となり、系列長、すなわち周期がＮ＝２４−１＝１５のＭ系列になる。
【００２８】
実際には、上記多項式の次数を高次にして、周期を非常に長くして使用する。事前に各コンテンツに対する式（５）の多項式を定めておくと、各コンテンツに対応したＭ系列が定まることになり、プレインストール対象の各コンテンツの対応したＭ系列を、下層部１０４に記録すると、鍵の役割を果たすことになる。
【００２９】
次に、２層媒体から磁気情報の再生は１個の磁気ヘッドで行うため、通常では下層部１０４と上層部１０２の信号が重畳されて検出されるが、本発明でのシステムでは下層部１０４と上層部１０２の再生信号の分離を行うデジタル信号処理のソフトを供給するコンテンツに含ませるようにして、下層部１０４と上層部１０２の再生信号の分離を行う方法として、例えば再生信号の振幅の相違に着目して行う方法がある。
【００３０】
図６は、再生信号の振幅相違による分離方法を示す。図６（ａ）は磁性体の磁気特性を示すもので、磁性体がいったん大きな磁場を経験すると、磁場が零でも一定の残留磁化が残る。磁性体の内部には残留磁化が残ることにより、その磁化をうち消そうとする方向に磁場が発生し、これを減磁場という。磁気ヘッドの再生信号は、下記の式で表される。
【００３１】
図６（ｂ）は磁性層と磁気ヘッドの位置関係を示し、磁性層の上層部１０２の厚みｔ１を１０ｎｍ、磁気ヘッド６０２と磁性層の上層部１０２とのギャップｇを１０ｎｍ、磁性層の下層部１０４の厚みｔ２を２０ｎｍ、ヘッドと磁性層の下層部１０４とのギャップを２０ｎｍとする。その他の位置関係に関する条件は、上層部と下層部で同一とする。
【００３２】
媒体の残留磁化と磁気ヘッドとの水平方向の離間距離をｘとした場合、残留磁化を持った磁性層により磁気ヘッドで得られる再生信号の電圧（振幅）Ｅｘ（ｘ）は下記の式で表される。
【００３３】
【数５】
2004030842.tif 000007
【００３４】
但し、各変数は下記の通りである。
Ｌ：ヘッド，媒体間の結合インピーダンス
Ｖ：媒体の速度
Ｗ：記録されているトラックの幅
ｄ：ヘッド・媒体間の隙間
Ｍｒ：媒体の磁化成分
δ：媒体の磁性層の厚み
ａｘ：減磁場の遷移パラメータ
Ｈｇ：磁気ヘッドのギャップ長さ
【００３５】
ｘ＝０の位置において、下層部１０４の残留磁化による再生信号の電圧は、上層部１０２の残留磁化による電圧の約２倍となる。この再生信号における電圧振幅の差異の様子を図７（ａ）および（ｂ）に示す。
【００３６】
図７は、２層構成からなる磁気記録媒体での再生信号波形を示す図で、図７（ａ）は上層部１０２の再生信号を、図７（ｂ）は下層部１０４の再生信号を、図７（ｃ）はこれら２層の再生信号を示す。図７に示す例では、上層部１０２と下層部１０４とのパターンが重なる位置では、上層部１０２の残留磁化による電圧と下層部１０４の残留磁化による電圧とが重畳されて出力されることを表している。予め、各層の残留磁化による出力電圧が解っているので、再生信号を高周波でサンプリングし、波形解析を行うことにより、再生信号が何れの層によるのかを把握することができる。以上のようにして、２層媒体の記録，再生が行われている。
【００３７】
次に、図８のブロック図を参照し、本発明に係るコンテンツの供給システムを構成するコンピュータの構成例について説明する。
【００３８】
コンピュータ８００は、ＣＰＵ（Ｃｅｎｔｒａｌ　Ｐｒｏｃｅｓｓｉｎｇ　Ｕｎｉｔ）８０２を内蔵している。このＣＰＵ８０２には、入出力インタフェース（Ｉ／Ｆ）８１０がバス８０８を介して接続されており、ＣＰＵ８０２は、入出力Ｉ／Ｆ８１０を介して、ユーザによって、キーボードやマウス等で構成される入力部８１２の操作により指示が入力されると、その指示にしたがって、ＲＯＭ（Ｒｅａｄ　Ｏｎｌｙ　Ｍｅｍｏｒｙ）　８０６に格納されているプログラムを実行する。あるいは、ＣＰＵ８０２は、入出力Ｉ／Ｆ８１０およびドライブ８１６を介して、ハードディスク８２２内の記録媒体８２０に記録されたプログラムを読み出し、ＲＡＭ（Ｒａｎｄｏｍ　Ａｃｃｅｓｓ　Ｍｅｍｏｒｙ）　８０４にロードして実行する。また、通信部８１８から受信した情報によりプログラムの実行が指示される場合もある。
【００３９】
このようにして、図９および図１０を参照して後述する本実施形態に関わる処理が実現される。そして、ＣＰＵ８０２はその処理結果を、必要に応じて、例えば入出力Ｉ／Ｆ８１０を介して、ＬＣＤ（Ｌｉｑｕｉｄ　Ｃｒｙｓｔａｌ　Ｄｉｓｐｌａｙ）やＣＲＴ（Ｃａｔｈｏｄｅ−Ｒａｙ　Ｔｕｂｅ）、あるいはスピーカ等により構成される出力部８１４から出力し、通信部８１８から送出し、あるいは記録媒体８２０に記録させる。
【００４０】
なお、コンピュータ８００に各種の処理を実行させるプログラムを記述する処理ステップは、必ずしも時系列で処理される必要はなく、並列的に、あるいは個別に実行される処理も含む場合がある。
【００４１】
また、プログラムは、１台のコンピュータにより処理されるものであっても良く、あるいは複数台のコンピュータによって分散処理されるものであっても良い。さらに、プログラムは、遠方のコンピュータに転送されて実行されるものであっても良い。
【００４２】
図９は、本実施形態によるコンテンツの不正利用防止方法の流れを示す図である。まず、図９（ａ）に示すように、２層構成の記憶媒体を用いるハードディスクを出荷する際に、出荷時にユーザ側では記録、消去が不可能な下層部１０４に、コンテンツの利用を許諾するための種々のコンテンツ用キー９０２−１、９０２−２、・・・９０２−ｎが、ユーザに解らなくするために疑似ランダムパターン形式で記録９０４される。ユーザ側で記録、消去が可能な上層部１０２には、予め後述する利用契約の判別ソフトが含まれたコンテンツ９０６−１、９０６−２、・・・９０６−ｎが記録されている。ここで、同図に示すように、コンテンツ用キー９０２−１、９０２−２、・・・９０２−ｎはそれぞれ、コンテンツ９０６−１、９０６−２、・・・９０６−ｎに対応付けられている。
【００４３】
記録媒体８２０に記録されたコンテンツを利用する際、コンピュータ８００は図９（ｂ）の処理ブロック図に示すように、コンテンツに含まれる利用契約の判別ソフトが作動し、磁気ヘッドから得られる上層部１０２と下層部１０４の磁気情報が重畳した再生信号を弁別９０８して、上層部１０２と下層部１０４の各々の再生信号を得る。上層部１０２に記録されている前記の利用契約の判別ソフト９１０には、各コンテンツに対応した式（５）によるｆｉ値の配列および初期値の配列が予め組み込まれており、これらの値を基に、基準の疑似ランダム信号を生成９１２する。一方、下層部１０４では疑似ランダムパターン形式のコンテンツ用キー９０２−１、９０２−２、・・・９０２−ｎが再生９１４される。次いで、両者の信号の相関処理９１６を行い、相関係数が限りなく１に近い場合には、正規ユーザによるコンテンツの利用と判断し、コンテンツの利用を認める（９１８）。
【００４４】
このようにして、弁別された第２層の再生信号にコンテンツの鍵が擬似ランダムパターンの形態で含まれている場合にコンテンツの正規の利用と判断する処理が実現される。
【００４５】
図１０は、本実施形態によるコンテンツの不正利用防止方法の別の流れを示す図である。正規ユーザの記憶媒体を不正に再生・複写した場合、再生信号には図１０（ａ）に示すように、上層部１０２のコンテンツ信号と、下層部１０４のコンテンツの利用を許諾するための疑似ランダムパターン化されたコンテンツ用キー９０６−１、９０６−２、・・・、９０６−ｎの情報が重畳した波形になり、これが不正を試みようとする者の記憶媒体の上層部４０２に記録される。しかし、不正を試みようとする者の下層部４０４には他のコンテンツの利用を許諾するための疑似ランダムパターン化されたコンテンツ用キー１００２−１、１００２−２、・・・、１００２−ｎの情報が出荷時に記録されている。不正を試みようとする者がコンテンツを利用しようとした場合、コンテンツに含まれる利用契約の判別ソフトが作動し、図１０（ｂ）の処理ブロック図に示すように、磁気ヘッドから得られる上層部４０２と下層部４０４の磁気情報が重畳した再生信号を弁別９０８する。
【００４６】
上層部４０２に記録されている前記の利用契約の判別ソフト９１０には、各コンテンツに対応した式（５）におけるｆｉ値の配列および初期値の配列が予め組み込まれている。コンピュータ８００は判別ソフトを実行し、これらの値を基に基準の疑似ランダム信号を生成する（９１２）。一方、下層部４０４ではランダムパターン形式の他のコンテンツ用キー１００２−１、１００２−２、・・・、１００２−ｎが再生されるので、両者の信号の相関処理１０１６では相関係数が１より小さいため異常と判断し、コンテンツの不正利用を防止する（１０１８）。
【００４７】
このようにして、第２層の再生信号にコンテンツの鍵が擬似ランダムパターンの形態で含まれていない場合にはコンテンツの不正利用と判断する処理が実現される。
【００４８】
【発明の効果】
以上説明したように、本発明によれば、記録媒体は、少なくとも１つのコンテンツが記録され、コンピュータにより記録および消去が可能な第１層と、コンテンツの各々に対応付けられた鍵が擬似ランダムパターンの形態で記録され、コンピュータにより記録および消去が不可能な第２層とから構成されており、第１層および第２層に記録された磁気情報が重畳した再生信号を弁別し、弁別された第２層の再生信号にコンテンツの鍵が擬似ランダムパターンの形態で含まれている場合にはコンテンツの正規の利用と判断し、第２層の再生信号にコンテンツの鍵が擬似ランダムパターンの形態で含まれていない場合にはコンテンツの不正利用と判断するので、コンテンツに関する著作権の侵害を容易に防止できるという効果を奏する。
【図面の簡単な説明】
【図１】本発明の一実施形態による磁気記録媒体の２層構成を示す図である。
【図２】本発明の一実施形態による２層構成からなる磁気記憶媒体の各層の磁気特性を示す図である。
【図３】本発明の一実施形態による２層構成からなる磁気記憶媒体の下層に対する磁気転写を示す図である。
【図４】本発明の一実施形態によるシフトレジスタ符合発生器の構成を示す図である。
【図５】本発明の一実施形態による４次のＭ系列発生回路の構成を示す図である。
【図６】本発明の一実施形態による２層構成からなる磁気記憶媒体での残留磁化の様子と２層構成からなる磁気記録媒体と磁気ヘッドとの位置関係を示す図である。
【図７】本発明の一実施形態による２層構成からなる磁気記憶媒体での再生信号波形を示す図である。
【図８】コンピュータのハードウェア構成例を示すブロック図である。
【図９】本発明の一実施形態による正規ユーザの利用に至るまでの手順を示す図である。
【図１０】本発明の一実施形態によるコンテンツの不正利用の防止の手順を示す図である。
【符号の説明】
１００　記録層
１０２，４０２　上層部
１０４，４０４　下層部
２０２　下層部の磁気特性
２０４　上層部の磁気特性
３０２　マスタディスク
３０４　軟磁性パターン
６０２　磁気ヘッド
８００　コンピュータ
８０２　ＣＰＵ
８０４　ＲＡＭ
８０６　ＲＯＭ
８０８　バス
８１０　入出力Ｉ／Ｆ
８１２　入力部
８１４　出力部
８１６　ドライブ
８１８　通信部
８２０　記録媒体
８２２　ハードディスク
【図１】
2004030842.tif 000008
【図２】
2004030842.tif 000009
【図３】
2004030842.tif 000010
【図４】
2004030842.tif 000011
【図５】
2004030842.tif 000012
【図６】
2004030842.tif 000013
【図７】
2004030842.tif 000014
【図８】
2004030842.tif 000015
【図９】
2004030842.tif 000016
【図１０】
2004030842.tif 000017